(57)【要約】【課題】カバー本体を着脱させる際の始点及び終点を認識することができ、爪部の破損やヒンジ部のヒンジ収納隙間部からの抜け落ちを防止し得る記憶媒体差込口用カバー構造及び該記憶媒体差込口用カバー構造を備えた端末装置を提供する。【解決手段】端末装置本体１に開口された記憶媒体の差込口７を覆うカバー本体８ａから一体に延びるヒンジ部８ｃをスライドさせた際、鉤状突片部８ｂが一旦接触した後に乗り越えるように通過可能な突起部１１を、ヒンジ収納隙間部９に張り出すように配置する。【選択図】図１
2006067182.tif 000002
【特許請求の範囲】
【請求項１】
端末装置本体に開口された記憶媒体の差込口を覆うカバー本体に、その一端側から可撓性を有するよう一体に延び且つ先端部に鉤状突片部が形成されたヒンジ部を設けると共に、該ヒンジ部と反対側のカバー本体他端部に、端末装置本体に対して係合・離脱可能な爪部を設け、前記端末装置本体における記憶媒体の差込口の一端側に隣接して延びるようヒンジ収納隙間部を形成し、該ヒンジ収納隙間部における記憶媒体の差込口側端部に、前記鉤状突片部を係止するヒンジ部抜け止め用のリブを配置し、
前記ヒンジ収納隙間部にヒンジ部を挿入し、記憶媒体の差込口をカバー本体で覆い且つ爪部を端末装置本体に対して係合させ記憶媒体の差込口を閉じる一方、前記爪部を端末装置本体から離脱させ、カバー本体をヒンジ部が引き出される方向にスライドさせつつ、該ヒンジ部を撓ませるようにカバー本体を記憶媒体の差込口から離反させることにより、該記憶媒体の差込口を開くよう構成した記憶媒体差込口用カバー構造において、
前記ヒンジ部をスライドさせた際、鉤状突片部が一旦接触した後に乗り越えるように通過可能な突起部を、ヒンジ収納隙間部に張り出すように配置したことを特徴とする記憶媒体差込口用カバー構造。
【請求項２】
前記突起部とリブとの間におけるヒンジ収納隙間部のヒンジ部スライド方向と直角な幅寸法をＢとし、前記突起部が配置された箇所におけるヒンジ収納隙間部のヒンジ部スライド方向と直角な幅寸法をＣとし、前記鉤状突片部のヒンジ部スライド方向と直角な幅寸法をＤとし、前記リブが配置された箇所におけるヒンジ収納隙間部のヒンジ部スライド方向と直角な幅寸法をＥとした場合に、
Ｂ＞Ｄ≧Ｃ
Ｄ＞Ｅ
という関係を満たすようにしたことを特徴とする請求項１記載の記憶媒体差込口用カバー構造。
【請求項３】
前記鉤状突片部の突起部と対向する側に、先端へ向け幅寸法が漸減するテーパ部を形成したことを特徴とする請求項１又は２記載の記憶媒体差込口用カバー構造。
【請求項４】
前記突起部の鉤状突片部と対向する面を円弧状曲面としたことを特徴とする請求項１〜３いずれかに記載の記憶媒体差込口用カバー構造。
【請求項５】
前記突起部を端末装置本体固定用の締結部材がねじ込まれるボスの一部としたことを特徴とする請求項４に記載の記憶媒体差込口用カバー構造。
【請求項６】
請求項１〜５いずれかに記載の記憶媒体差込口用カバー構造を備えたことを特徴とする端末装置。 
【発明の詳細な説明】
【技術分野】
【０００１】
本発明は、記憶媒体差込口用カバー構造及び該記憶媒体差込口用カバー構造を備えた端末装置に関するものである。
【背景技術】
【０００２】
近年、携帯電話機やＰＨＳ等の移動通信機、或いはＰＤＡ（Personal Digital Assistant）や小型のノート型パソコンといった端末装置が急速に普及してきているが、斯かる端末装置においては、画像データや音楽データ等を記憶させたメモリーカードのような記憶媒体を装着し得るようにしたものがある。
【０００３】
図５は折畳式の携帯電話機等の端末装置の一例を示すものであって、１は端末装置本体、２は端末装置本体１を形成する筐体であり、折畳式の端末装置は、端末装置本体１を形成する筐体２を第一の筐体としての上部筐体２ａと第二の筐体としての下部筐体２ｂとに分割し、それらをヒンジモジュール３を介して開閉可能となるよう互いに回動自在に連結してなる構成を有している。
【０００４】
前記上部筐体２ａには、液晶ディスプレイ（ＬＣＤ：Liquid Crystal Display）等の表示器４が設けられる一方、前記下部筐体２ｂには、多数のキー５が配置され且つバッテリー（図示せず）が内蔵されると共に、記憶媒体６が抜き差しされる差込口７と、該記憶媒体６の差込口７を開閉自在に覆うためのカバー８とが設けられている。
【０００５】
前記カバー８は、図６（ａ）〜（ｄ）及び図７〜図１０に示される如く、端末装置本体１に開口された記憶媒体６の差込口７を覆うカバー本体８ａに、その一端側から可撓性を有するよう一体に延び且つ先端部に鉤状突片部８ｂが形成されたヒンジ部８ｃを設けると共に、該ヒンジ部８ｃと反対側のカバー本体８ａ他端部に、端末装置本体１に対して係合・離脱可能な爪部８ｄを設け、前記端末装置本体１における記憶媒体６の差込口７の一端側に隣接して延びるようヒンジ収納隙間部９を形成し、該ヒンジ収納隙間部９における記憶媒体６の差込口７側端部に、前記鉤状突片部８ｂを係止するヒンジ部８ｃ抜け止め用のリブ１０を配置し、前記ヒンジ収納隙間部９にヒンジ部８ｃを挿入し、記憶媒体６の差込口７をカバー本体８ａで覆い且つ爪部８ｄを端末装置本体１に対して係合させ記憶媒体６の差込口７を閉じる一方、前記爪部８ｄを端末装置本体１から離脱させ、カバー本体８ａをヒンジ部８ｃが引き出される方向にスライドさせつつ、該ヒンジ部８ｃを撓ませるようにカバー本体８ａを記憶媒体６の差込口７から離反させることにより、該記憶媒体６の差込口７を開くよう構成されている。
【０００６】
尚、端末装置本体に開口された記憶媒体の差込口をカバーで覆うようにした構造を示すものとしては、例えば、特許文献１がある。
【特許文献１】特開平１０−１９０８０３号公報
【発明の開示】
【発明が解決しようとする課題】
【０００７】
ところで、前述の如き従来の記憶媒体差込口用カバー構造を備えた端末装置においては、記憶媒体６の差込口７を開閉する際に、爪部８ｄが端末装置本体１から離脱している状態では、図１０に示されるように、鉤状突片部８ｂがリブ１０に引っ掛かることにより、ヒンジ部８ｃがヒンジ収納隙間部９から抜けないようになっているが、ヒンジ収納隙間部９には前記リブ１０以外にヒンジ部８ｃの動きを規制する手段が何もなく、カバー本体８ａを着脱させる際の始点及び終点を認識することができないため、例えば、カバー本体８ａの装着時、ヒンジ部８ｃがヒンジ収納隙間部９に完全に収まらないうちにカバー本体８ａを端末装置本体１に押し付けてしまい、爪部８ｄが破損してしまったり、或いは、カバー本体８ａを必要以上に引っ張ってしまい、ヒンジ部８ｃがヒンジ収納隙間部９から抜けてしまったりするという不具合が発生する虞があった。
【０００８】
本発明は、斯かる実情に鑑み、カバー本体を着脱させる際の始点及び終点を認識することができ、爪部の破損やヒンジ部のヒンジ収納隙間部からの抜け落ちを防止し得る記憶媒体差込口用カバー構造及び該記憶媒体差込口用カバー構造を備えた端末装置を提供しようとするものである。
【課題を解決するための手段】
【０００９】
本発明は、端末装置本体に開口された記憶媒体の差込口を覆うカバー本体に、その一端側から可撓性を有するよう一体に延び且つ先端部に鉤状突片部が形成されたヒンジ部を設けると共に、該ヒンジ部と反対側のカバー本体他端部に、端末装置本体に対して係合・離脱可能な爪部を設け、前記端末装置本体における記憶媒体の差込口の一端側に隣接して延びるようヒンジ収納隙間部を形成し、該ヒンジ収納隙間部における記憶媒体の差込口側端部に、前記鉤状突片部を係止するヒンジ部抜け止め用のリブを配置し、
前記ヒンジ収納隙間部にヒンジ部を挿入し、記憶媒体の差込口をカバー本体で覆い且つ爪部を端末装置本体に対して係合させ記憶媒体の差込口を閉じる一方、前記爪部を端末装置本体から離脱させ、カバー本体をヒンジ部が引き出される方向にスライドさせつつ、該ヒンジ部を撓ませるようにカバー本体を記憶媒体の差込口から離反させることにより、該記憶媒体の差込口を開くよう構成した記憶媒体差込口用カバー構造において、
前記ヒンジ部をスライドさせた際、鉤状突片部が一旦接触した後に乗り越えるように通過可能な突起部を、ヒンジ収納隙間部に張り出すように配置したことを特徴とする記憶媒体差込口用カバー構造にかかるものである。
【００１０】
上記手段によれば、以下のような作用が得られる。
【００１１】
記憶媒体の差込口を閉じた状態から、爪部を端末装置本体から離脱させ、カバー本体をヒンジ部が引き出される方向にスライドさせて行くと、鉤状突片部が突起部に対し一旦接触した後に乗り越えるように通過することにより、カチッと音がするいわゆるクリック機構的に作動する形となるため、カバー本体をヒンジ部が引き出される方向にスライドさせる際の始点及び終点を認識することが可能となり、カバー本体を必要以上に引っ張ってしまい、ヒンジ部がヒンジ収納隙間部から抜けてしまったりする心配がなくなる。
【００１２】
一方、記憶媒体の差込口を開いた状態から、前述と逆に、カバー本体をヒンジ部が押し込まれる方向にスライドさせて行った場合にも、鉤状突片部が突起部に対し一旦接触した後に乗り越えるように通過することにより、カチッと音がするいわゆるクリック機構的に作動する形となるため、カバー本体をヒンジ部が押し込まれる方向にスライドさせる際の始点及び終点を認識することが可能となり、ヒンジ部がヒンジ収納隙間部に完全に収まらないうちにカバー本体を端末装置本体に押し付けてしまい、爪部が破損したりする心配もなくなる。
【００１３】
前記記憶媒体差込口用カバー構造においては、前記突起部とリブとの間におけるヒンジ収納隙間部のヒンジ部スライド方向と直角な幅寸法をＢとし、前記突起部が配置された箇所におけるヒンジ収納隙間部のヒンジ部スライド方向と直角な幅寸法をＣとし、前記鉤状突片部のヒンジ部スライド方向と直角な幅寸法をＤとし、前記リブが配置された箇所におけるヒンジ収納隙間部のヒンジ部スライド方向と直角な幅寸法をＥとした場合に、
Ｂ＞Ｄ≧Ｃ
Ｄ＞Ｅ
という関係を満たすようにすることが有効となる。
【００１４】
又、前記記憶媒体差込口用カバー構造においては、前記鉤状突片部の突起部と対向する側に、先端へ向け幅寸法が漸減するテーパ部を形成することが、鉤状突片部の突起部に対する乗り越え動作を円滑化する上で有効となる。
【００１５】
更に又、前記記憶媒体差込口用カバー構造においては、前記突起部の鉤状突片部と対向する面を円弧状曲面とすることが、前記鉤状突片部の突起部に対する乗り越え動作を更に円滑化する上でより有効となり、この場合、前記突起部を端末装置本体固定用の締結部材がねじ込まれるボスの一部とすることが望ましい。
【００１６】
又、本発明は、前述のいずれかに記載の記憶媒体差込口用カバー構造を備えたことを特徴とする端末装置にかかるものである。
【発明の効果】
【００１７】
本発明の記憶媒体差込口用カバー構造及び該記憶媒体差込口用カバー構造を備えた端末装置によれば、カバー本体を着脱させる際の始点及び終点を認識することができ、爪部の破損やヒンジ部のヒンジ収納隙間部からの抜け落ちを防止し得るという優れた効果を奏し得る。
【発明を実施するための最良の形態】
【００１８】
以下、本発明の実施の形態を添付図面を参照して説明する。
【００１９】
図１〜図４は本発明を実施する形態の一例であって、図中、図５〜図１０と同一の符号を付した部分は同一物を表わしており、基本的な構成は図５〜図１０に示す従来のものと同様であるが、本図示例の特徴とするところは、図１〜図４に示す如く、ヒンジ部８ｃをスライドさせた際、鉤状突片部８ｂが一旦接触した後に乗り越えるように通過可能な突起部１１を、ヒンジ収納隙間部９に張り出すように配置した点にある。
【００２０】
本図示例の場合、前記突起部１１とリブ１０との間におけるヒンジ収納隙間部９のヒンジ部８ｃスライド方向と直角な幅寸法をＢとし、前記突起部１１が配置された箇所におけるヒンジ収納隙間部９のヒンジ部８ｃスライド方向と直角な幅寸法をＣとし、前記鉤状突片部８ｂのヒンジ部８ｃスライド方向と直角な幅寸法をＤとし、前記リブ１０が配置された箇所におけるヒンジ収納隙間部９のヒンジ部８ｃスライド方向と直角な幅寸法をＥとした場合に、
Ｂ＞Ｄ≧Ｃ
Ｄ＞Ｅ
という関係を満たすようにしてある。
【００２１】
因みに、前記鉤状突片部８ｂのヒンジ部８ｃスライド方向と直角な幅寸法Ｄを基準とした場合における各幅寸法の比率に関しては、例えば、
Ｂ：Ｄ：Ｃ：Ｅ＝（１〜２） ： １ ： ０．９ ： ０．８５
とすることができ、更に好ましくは、
Ｂ：Ｄ：Ｃ：Ｅ＝１．５ ： １ ： ０．９ ： ０．８５
とすることができる。
【００２２】
又、前記鉤状突片部８ｂの突起部１１と対向する側に、先端へ向け幅寸法が漸減するテーパ部１２を形成すると共に、前記突起部１１の鉤状突片部８ｂと対向する面を円弧状曲面としてある。
【００２３】
更に又、前記突起部１１は、端末装置本体１固定用の締結部材がねじ込まれるボスの一部としてある。
【００２４】
次に、上記図示例の作用を説明する。
【００２５】
記憶媒体６の差込口７を閉じた状態から、爪部８ｄを端末装置本体１から離脱させ、カバー本体８ａをヒンジ部８ｃが引き出される方向にスライドさせて行くと、鉤状突片部８ｂが突起部１１に対し一旦接触した後に乗り越えるように通過することにより、カチッと音がするいわゆるクリック機構的に作動する形となるため、カバー本体８ａをヒンジ部８ｃが引き出される方向にスライドさせる際の始点及び終点を認識することが可能となり、カバー本体８ａを必要以上に引っ張ってしまい、ヒンジ部８ｃがヒンジ収納隙間部９から抜けてしまったりする心配がなくなる。
【００２６】
一方、記憶媒体６の差込口７を開いた状態から、前述と逆に、カバー本体８ａをヒンジ部８ｃが押し込まれる方向にスライドさせて行った場合にも、鉤状突片部８ｂが突起部１１に対し一旦接触した後に乗り越えるように通過することにより、カチッと音がするいわゆるクリック機構的に作動する形となるため、カバー本体８ａをヒンジ部８ｃが押し込まれる方向にスライドさせる際の始点及び終点を認識することが可能となり、ヒンジ部８ｃがヒンジ収納隙間部９に完全に収まらないうちにカバー本体８ａを端末装置本体１に押し付けてしまい、爪部８ｄが破損してしまったりする心配もなくなる。
【００２７】
又、本図示例においては、前記鉤状突片部８ｂの突起部１１と対向する側に、先端へ向け幅寸法が漸減するテーパ部１２を形成すると共に、前記突起部１１の鉤状突片部８ｂと対向する面を円弧状曲面としてあるため、鉤状突片部８ｂの突起部１１に対する乗り越え動作が非常に円滑に行われ、しかも、前記突起部１１は、端末装置本体１固定用の締結部材がねじ込まれるボスの一部を利用するようにしてあるため、スペース的に制約の多い端末装置本体１の内部において、極めて有効なレイアウトとなる。
【００２８】
こうして、カバー本体８ａを着脱させる際の始点及び終点を認識することができ、爪部８ｄの破損やヒンジ部８ｃのヒンジ収納隙間部９からの抜け落ちを防止し得る。
【００２９】
尚、本発明の記憶媒体差込口用カバー構造及び該記憶媒体差込口用カバー構造を備えた端末装置は、上述の図示例にのみ限定されるものではなく、本発明の要旨を逸脱しない範囲内において種々変更を加え得ることは勿論である。
【図面の簡単な説明】
【００３０】
【図１】本発明を実施する形態の一例を示す断面斜視図である。
【図２】図１のＩＩ部拡大平面図である。
【図３】図１に示す状態からカバーを開く方向へ所要量だけスライドさせた状態を示す断面斜視図である。
【図４】図３に示す状態からカバーを開く方向へ更に所要量だけスライドさせた状態を示す断面斜視図である。
【図５】折畳式の携帯電話機等の端末装置の一例を示す斜視図である。
【図６】記憶媒体の差込口を開閉自在に覆うためのカバーの一例を示す図であって、（ａ）はカバーの外面側を示す斜視図、（ｂ）はカバーの内面側を示す斜視図、（ｃ）カバーの外面側を示す平面図、（ｄ）カバーの内面側を示す平面図である。
【図７】従来における記憶媒体差込口用カバー構造の一例を示す断面斜視図であって、図５のＶＩＩ−ＶＩＩ矢視相当図である。
【図８】図７のＶＩＩＩ部拡大平面図である。
【図９】図７に示す状態からカバーを開く方向へ所要量だけスライドさせた状態を示す断面斜視図である。
【図１０】図９に示す状態からカバーを開く方向へ更に所要量だけスライドさせた状態を示す断面斜視図である。
【符号の説明】
【００３１】
１    端末装置本体
６    記憶媒体
７    差込口
８    カバー
８ａ  カバー本体
８ｂ  鉤状突片部
８ｃ  ヒンジ部
８ｄ  爪部
９    ヒンジ収納隙間部
１０    リブ
１１    突起部
１２    テーパ部
Ｂ    幅寸法
Ｃ    幅寸法
Ｄ    幅寸法
Ｅ    幅寸法
【図１】
2006067182.tif 000003
【図２】
2006067182.tif 000004
【図３】
2006067182.tif 000005
【図４】
2006067182.tif 000006
【図５】
2006067182.tif 000007
【図６】
2006067182.tif 000008
【図７】
2006067182.tif 000009
【図８】
2006067182.tif 000010
【図９】
2006067182.tif 000011
【図１０】
2006067182.tif 000012